(57)【特許請求の範囲】
【請求項１】
天頂部に開閉機構を有し、均等の間隔幅をもって設置された４本の親骨と４本の受骨によって傘布を支え・開閉するような卓上蚊帳様ドーム型傘体を想定し、４つの受骨ダボ（親骨との接続部）が隣同士の２つを一組とする二組に分かれると想定した場合において、どちらか一方の一組を成す２つの受骨ダボを結ぶ線を、そのまま親骨に沿って傘布裏面を傘裾部まで延伸する線上に、左右内外どちらからも開閉出来る大ファスナーを設けて、大ファスナーに囲われた内側を大開閉部と成し、この大開閉部の傘裾の中央部に、ほぼ顔サイズの高さ・幅で左右内外どちらからでも開閉出来る小ファスナーを設けて、小ファスナーに囲われた内側を小開閉部と成し、この小開閉部の傘布面上に複数の通気口を設け、４本の親骨の各末端、即ち傘裾部との合流点には吸盤を設置することを特徴とするドーム型傘サウナ。
【発明の詳細な説明】
【技術分野】
【０００１】  本発明は、家庭の風呂をそのままサウナ風呂として使用する家庭用ドーム型傘サウナに関するものである。
【背景技術】
【０００２】  サウナ風呂などの温熱浴は、抹消血液の循環や新陳代謝を促進させ、美容や疲労回復に効果があると知られていることから、ホテル・温浴施設・銭湯などに多く設置されている。美肌効果や疲労回復、健康維持、病気治療として利用されるサウナ風呂は、断熱処理を施した小室に加熱手段によって作られた熱風を送り込むものが多い。サウナ風呂と呼ばれる半数以上の物は機械や器具を使用する物が多く、一般家庭に使用するには設置場所、設備資金、メンテナスなどに負担がかかるためなかなか普及しなかった。幼児やお年寄りがサウナを使用する場合は、高温、高湿、また利用時間などによっては健康を害する場合もある。また、サウナが設置してある場所（ホテル、温浴施設、銭湯）まで足を運ばなければならないし、相応のお金も必要である。今現在ある家庭内サウナとしては、頭部まで覆う傘体を上から吊り下げる先行技術が知られている。（特許文献１参照）。
【先行技術文献】
【０００３】
【特許文献１】登録実用新案第３０４３５０５号公報
【解決しようとする課題】
【０００４】  今現在普及しているサウナ風呂は、ホテル、温浴施設、銭湯などに設置されているところが多く、これらは大掛かりな設置場所や設備資金が必要とするため、一般家庭などにはとても手が届くものではなかった。ホテル、温浴施設、銭湯などに家族全員がサウナを楽しむためには、これらの施設に足を運ばなければならないし、また時間と金銭の余裕がないと無理である。また、身体に障害がある人や、持病（高血圧や心臓病等）を持った人などは、高温、高湿のサウナを使用する場合は医師の許可が必要な場合もある。
家庭用サウナとして入浴者は首を首挿入口から外に出して密閉状態を保ちながら浴槽上端より下まで体を沈めることができ、上体を好みの角度で浴槽の縁に寄りかかって使用出来る浴槽蓋や、布状部材を升形状に構成して作られたサウナ袋などがあるが、これらは全て首から上を浴槽の外に付き出しており、女性が一番気になる首から顔全体の保湿（美肌）効果が期待されない。文献１に示される先行技術は、顔・頭部まで覆う傘体であるが、対向的壁面に突っ張り棒を設置して、それにロープで吊るすという誠に手間のかかる方法であり、且つ傘体裾を湯面スレスレに設置するため、湯面の他の領域から仕切ってしまい、湯面全体から立ち昇る湯気全体の一部しか活用出来ず、保湿（美肌）効果が大幅に軽減されてしまう等の欠点がある。
本発明は以上の問題点を解決するために作られたものである。
【課題を解決するための手段】
【０００５】  天頂部に開閉機構を有し、均等の間隔幅をもって設置された４本の親骨と４本の受骨によって傘布を支え・開閉するような卓上蚊帳様ドーム型傘体を想定し、４つの受骨ダボ（親骨との接続部）が隣同士の２つを一組とする二組に分かれると想定した場合において、どちらか一方の一組を成す２つの受骨ダボを結ぶ線を、そのまま親骨に沿って傘布裏面を傘裾部まで延伸する線上に、左右内外どちらからも、又どちらか一方に寄せても開閉出来る大ファスナーを設けて、大ファスナーに囲われた内側を大開閉部と成し、この大開閉部の傘裾の中央部に、ほぼ顔サイズの高さ・幅で左右内外どちらからも、又どちらか一方に寄せても全開放することが出来る小ファスナーを設けて、小ファスナーに囲われた内側を小開閉部と成し、この小開閉部の傘布面上に複数の通気口を設け、４本の親骨の各末端、即ち傘裾部との合流点には吸盤を設置する。
以上を特徴とするドーム型傘サウナである。
【発明の効果】
【０００６】  （イ）お湯に浸かっている身体部分だけではなく、頭まですっぽり覆われ、擬似密閉状態の中で、湯面全域から立ち昇る湯気を集め逃がさずに利用できるので、お顔の毛穴も全開発汗させ、美容効果が増大する。
（ロ）面倒な準備作用の必要もなく、ただ浴槽の縁に本発明の裾部を吸盤吸着で設置するだけでよい。
（ハ）大開閉ファスナーを全開放すれば、設置したままで、大開閉部から顔も全身も自由に出入りできる。
（ニ）小開部の通気口があるのでドーム傘内の湯気の逃失を最小限にとどめつつ、息苦しくなることもない。必要なら小開閉部を部分的に、又は全開に開放することも出来る。
（ホ）大げさな設備が要らず、設置方法も至って簡単なので、自宅に居ながらにして、誰でもいつでも、サウナライフを超経済的に楽しむことができる。
（ヘ）傘天頂部の紐を引くと開き、ストッパーを指先で一押しすれば閉じるワンタッチ折りたたみ式なので収納も便利である
【図面の簡単な説明】
【０００７】
【図１】本発明の外観を示す正面図
【図２】本発明の内部構造を見えるように図１を透明にして示した正面図
【図３】本発明の使用時の状態を示すイメージ図
【発明を実施するための形態】
【０００８】  天頂部に開閉機構（１）を有し、均等の間隔幅をもって設置された４本の親骨（３）と４本の受骨（４）によって傘布（１３）を支え・開閉するような卓上蚊帳様ドーム型傘体を想定し、４つの受骨ダボ（１４）即ち親骨（３）との接続部が、隣同士の２つを一組とする二組に分かれると想定した場合において、どちらか一方の一組を成す２つの受骨ダボ（１４）を結ぶ線を、そのまま親骨（３）に沿って傘布（１３）裏面を傘裾部（１５）まで延伸する線上に、左右内外どちらからも開閉出来る大ファスナー（１０）を設けて、大ファスナー（１０）に囲われた内側を大開閉部（１６）と成し、この大開閉部（１６）の傘裾部（１５）の中央部に、ほぼ顔サイズの高さ・幅で左右内外どちらからでも開閉出来る小ファスナー（１１）を設けて、小ファスナー（１１）に囲われた内側を小開閉部（１７）と成し、この小開閉部（１７）の傘布（１３）面上に複数の通気口（１２）を設け、４本の親骨（３）の各末端、即ち傘裾部（１５）との合流点には吸盤（５）を設置する。
本発明は、以上のような構成であり、以下、其の具体的な使用の形態を説明する。
最初の準備として浴槽（７）にお湯を張り、浴槽（７）内の温度を入浴出来る適温（３８℃〜４３℃位）になったら浴槽の蓋（８）の一部（ドーム型傘サウナを設置する広さ）を開ける。ドーム型傘サウナの開閉機構（１）の天頂部に付いている紐（６）を引いてストッパー（２）でドーム型傘サウナを使用する浴槽（７）の大きさに合わせて開閉する。浴槽の蓋を開けた部分に、ドーム型傘サウナに付いている大ファスナー（１０）のある面を浴槽蓋（８）の前に来るようにして、浴槽縁（９）に吸盤（５）で吸着させ、固定し設置する。するとドーム型傘サウナの中は密封され、数分で浴槽（７）から出る湯気で充満する。
このように用意を整えた上で、身体が入浴出来る程度の広さに浴槽蓋（８）を開け、浴槽（７）に入り、そこから大ファスナー（１０）を開けてドーム内に入る。身体が入浴出来る程度の広さに開けた浴槽蓋（８）を元に戻して、ドーム内から大ファスナー（１０）を閉める。ドーム内に外部から沢山の空気を入れたくない場合は、小ファスナー（１１）で調節する。小ファスナー（１１）には、顔サイズの広さがあり、左右内外どちらからでも開閉出来るようになっている。自分の好きなだけ空気をドーム内に入れる事も出来るし、またはドーム内から顔だけ外部に出すことも出来る。
小さなお子さんなど悪戯して、大ファスナー（１０）も小ファスナー（１１）も締めきって使用する場合もあるので、小開閉部（１７）の傘面上に複数の通気口（１２）を設ける。そのためお子様からお年寄りまで安心して使用できる。
また、使用しない時は開閉機構（１）に付いているストッパー（２）を指先で押すことに寄りワンタッチで折りたたむことが出来、収納の場所も取らず便利である
【符号の説明】
【０００９】１  開閉機構部、２  ストッパー、３  親骨、４  受骨、５、吸盤、６  紐、
７  浴槽、８  浴槽蓋、９  浴槽の縁、１０  大ファスナー、
１１  小ファスナー、１２  通気口、１３  傘布、１４  受骨ダボ、
１５  傘裾部、１６  大開閉部、１７  小開閉部
【図１】
0005904424.tif 000002
【図２】
0005904424.tif 000003
【図３】
0005904424.tif 000004